(57)【特許請求の範囲】
【請求項１】
排気口および通気口を有する排気ユニット、
前記排気ユニット内に移動可能に配置され、ガス流路がガス貯蔵ユニットおよび前記ガス流路に連結したチャンバに形成され、前記チャンバの体積が調整可能であるガス貯蔵ユニット、および
前記排気ユニットの内壁に配置され、シールリングは、前記ガス貯蔵ユニットに当接する２つのシールリングを含む加圧ガス注射装置であって、
前記ガス貯蔵ユニットが前記排気ユニットに対して第１の位置に位置したとき、加圧ガスは、前記通気口および前記ガス流路を介して前記チャンバに順次に流入し、前記ガス流路は前記シールリングの間に配置され、
前記ガス貯蔵ユニットが前記排気ユニットに対して前記第１の位置から第２の位置に移動したとき、前記ガス流路は前記排気口側の前記シールリングと前記排気口との間に位置するように移動し、且つ前記チャンバ内の前記加圧ガスは、前記ガス流路および前記排気口を介して前記加圧ガス注射装置から順次に放出され、前記加圧ガスの圧力は、５ＭＰａ以上である加圧ガス注射装置。
【請求項２】
前記ガス貯蔵ユニットが前記排気ユニットに対して前記第１の位置に位置するとき、前記ガス流路は前記シールリングの間に配置され、前記ガス流路は前記通気口と連通する請求項１に記載の加圧ガス注射装置。
【請求項３】
前記ガス貯蔵ユニットは、中空体およびロッドを含み、前記ロッドは位置調整可能な方式で中空体に差し込まれており、前記加圧ガスを貯蔵するように構成されたチャンバが前記中空体と前記ロッドとの間に形成される請求項１に記載の加圧ガス注射装置。
【請求項４】
ガス注入口を更に含み、前記ガス貯蔵ユニットが前記排気ユニットに対して第１の位置に位置するとき、前記加圧ガスは、前記ガス注入口、前記通気口、および前記ガス流路を介して前記ガス貯蔵ユニットに流入する請求項１に記載の加圧ガス注射装置。
【請求項５】
排気口を有する排気ユニット、
前記排気ユニットに移動可能に連結され、第１のガス注入路および第１のガス排出路が第１のガス貯蔵ユニット内に形成される第１のガス貯蔵ユニット、
前記排気ユニットに移動可能に連結され、第２のガス注入路および第２のガス排出路が第２のガス貯蔵ユニット内に形成される第２のガス貯蔵ユニット、および
前記排気ユニットの外面に配置され、前記第１のガス貯蔵ユニットおよび前記第２のガス貯蔵ユニットに当接する２つのシールリングを含む加圧ガス注射装置であって、
前記第１および前記第２のガス貯蔵ユニットが前記排気ユニットに対して第１の位置に位置したとき、第１の加圧ガスは、前記第１のガス注入路を介して前記第１のガス貯蔵ユニットに流入し、第２の加圧ガスは、前記第２のガス注入路を介して前記第２のガス貯蔵ユニットに流入し、前記第１および前記第２のガス排出路は前記シールリングの間に配置され、
前記第１および前記第２のガス貯蔵ユニットが前記排気ユニットに対して前記第１の位置から第２の位置に移動したとき、前記第１および前記第２のガス排出路は前記排気口側のシールリングと前記排気口との間に配置され、且つ前記第１のガス貯蔵ユニット内の前記第１の加圧ガスは、前記第１のガス排出路および前記排気口を介して前記加圧ガス注射装置から順次に放出され、前記第２のガス貯蔵ユニット内の前記第２の加圧ガスは、前記第２のガス排出路および前記排気口を介して前記加圧ガス注射装置から順次に放出され、前記第１の加圧ガスおよび前記第２の加圧ガスの圧力は、それぞれ５ＭＰａ以上である加圧ガス注射装置。
【請求項６】
第１のガス注入口および第２のガス注入口を有し、前記第１のガス貯蔵ユニットおよび前記第２のガス貯蔵ユニットがハウジングに移動可能に配置されたハウジング、
前記ハウジングの内壁に配置され、前記第１のガス注入口に対応する２つの第１の注入シールリング、および
前記ハウジングの内壁に配置され、前記第２のガス注入口に対応する２つの第２の注入シールリングを更に含み、
前記第１および第２のガス貯蔵ユニットが排気ユニットに対して第１の位置に配置されたとき、前記第１のガス注入路は前記第１の注入シールリングの間に位置し、前記第２のガス注入路は前記第２の注入シールリングの間に位置し、前記第１の加圧ガスは、前記第１のガス注入口および前記第１のガス注入路を介して前記第１のガス貯蔵ユニットに順次に流入し、前記第２の加圧ガスは、前記第２のガス注入口および前記第２のガス注入路を介して前記第２のガス貯蔵ユニットに順次に流入する請求項５に記載の加圧ガス注射装置。
【請求項７】
前記排気ユニット、前記第１のガス貯蔵ユニット、および前記第２のガス貯蔵ユニットに当接する付勢アセンブリを更に含む請求項５に記載の加圧ガス注射装置。
【請求項８】
前記第１および第２のガス貯蔵ユニットが前記排気ユニットに対して前記第１の位置から前記第２の位置に移動したとき、付勢アセンブリは圧縮される請求項７に記載の加圧ガス注射装置。
【請求項９】
排気口および一時貯蔵ガスタンクを有する排気ユニット、
前記排気ユニットに移動可能に連結され、ガス貯蔵ユニットは、スライド部材および加圧ガスタンクを含み、ガス流路は前記スライド部材内に形成され、前記加圧ガスタンクは、前記スライド部材に着脱可能に連結され、前記一時貯蔵ガスタンク内に異なる容積のガスを提供するガス貯蔵ユニット、および
前記排気ユニットの内面に配置され、シールリングは、前記ガス貯蔵ユニットに当接する２つのシールリングを含む加圧ガス注射装置であって、
前記ガス貯蔵ユニットが前記排気ユニットに対して第１の位置に位置したとき、前記ガス流路は前記シールリングの間に配置され、且つ前記加圧ガスタンク内の加圧ガスは、前記ガス流路を介して前記一時貯蔵ガスタンクに流入し、
前記ガス貯蔵ユニットが前記排気ユニットに対して前記第１の位置から第２の位置に移動したとき、前記ガス流路の一部は、前記一時貯蔵ガスタンク側の前記シールリングと前記一時貯蔵ガスタンクの間に配置され、且つ前記一時貯蔵ガスタンクの加圧ガスは、前記排気口を介して前記加圧ガス注射装置から放出され、前記加圧ガスの圧力は、５ＭＰａ以上である加圧ガス注射装置。
【請求項１０】
前記スライド部材の片側に針を更に備え、前記針は、前記加圧ガスが加圧ガスタンクから前記ガス流路に入るように前記加圧ガスタンクのシールを貫通するように構成される請求項９に記載の加圧ガス注射装置。
【請求項１１】
排気口を有する排気ユニット、および
排気ユニットと連通する主要ガス貯蔵ユニットを含む加圧ガス注射装置であって、前記主要ガス貯蔵ユニットは、
第１のガス流路および第１のチャンバが第１のガス貯蔵アセンブリに形成され、前記第１のガス流路および前記第１のチャンバが互いに連結され、前記第１のガス流路および前記第１のチャンバが加圧ガスを収容するように構成される第１のガス貯蔵アセンブリ、
前記第１のガス貯蔵アセンブリの外側の周りに移動可能に配置された第１のスライドアセンブリ、および
前記第１のスライドアセンブリの内壁に配置され、前記第１のスライドアセンブリと前記第１のガス貯蔵アセンブリとの間に配置された２つの第１のシールリングを含み、
前記第１のスライドアセンブリが前記第１のガス貯蔵アセンブリに対して第１の閉鎖位置に配置されるとき、前記第１のガス流路の一部は、前記排気ユニット側の前記第１のシールリングと前記排気ユニットとの間に位置し、前記第１のチャンバ内の前記加圧ガスが前記第１のガス流路を介して前記排気ユニットに流入するのを防止し、
前記第１のスライドアセンブリが前記第１のガス貯蔵アセンブリに対して前記第１の閉鎖位置から第１の開放位置に移動するとき、前記第１のガス流路は、前記第１のシールリングの間に位置し、前記第１のチャンバ内の前記加圧ガスは、前記排気ユニットに流入し、前記排気口を介して前記加圧ガス注射装置から放出され、前記加圧ガスの圧力は、５ＭＰａ以上である加圧ガス注射装置。
【請求項１２】
前記主要ガス貯蔵ユニットおよび前記排気ユニットと連通する一方向弁を更に含む請求項１１に記載の加圧ガス注射装置。
【請求項１３】
主要ガス貯蔵ユニットと連結する補助ガス貯蔵ユニットを更に含み、前記補助ガス貯蔵ユニットは、
第２のガス流路および第２のチャンバが第２のガス貯蔵アセンブリに形成され、前記第２のガス流路および前記第２のチャンバが互いに連結され、前記第２のガス流路および前記第２のチャンバが加圧ガスを収容するように構成される第２のガス貯蔵アセンブリ、
前記第２のガス貯蔵アセンブリの外側の周りに移動可能に配置された第２のスライドアセンブリ、および
前記第２のスライドアセンブリの内壁に配置され、前記第２のガス貯蔵アセンブリと当接する２つの第２のシールリングを含み、
前記第２のスライドアセンブリが前記第２のガス貯蔵アセンブリに対して第２の閉鎖位置に配置されるとき、前記第２のガス流路の一部は、前記主要ガス貯蔵ユニット側の前記第２のシールリングと前記主要ガス貯蔵ユニットとの間に位置し、前記第２のチャンバ内の前記加圧ガスが前記第２のガス流路を介して前記主要ガス貯蔵ユニットに流入するのを防止し、
前記第２のスライドアセンブリが前記第２のガス貯蔵アセンブリに対して前記第２の閉鎖位置から第２の開放位置に移動するとき、前記第２のガス流路は、前記第２のシールリングの間に位置し、
前記第２のチャンバ内の前記加圧ガスは、前記第２のガス流路を介して主要ガス貯蔵ユニットに流入する請求項１１に記載の加圧ガス注射装置。
【請求項１４】
主要ガス貯蔵ユニットおよび補助ガス貯蔵ユニットと連通する一方向弁を更に含む請求項１３に記載の加圧ガス注射装置。
【請求項１５】
複数の互いに直列に連通された補助ガス貯蔵ユニットを更に含み、前記複数の補助ガス貯蔵ユニットは、異なる定量的容積の前記加圧ガスを選択的に貯蔵するように構成される請求項１３に記載の加圧ガス注射装置。
【請求項１６】
排気口と突出部を有する排気ユニット、
中空芯管および間隙調整部材を含み、前記芯管は、前記排気ユニット内に配置され、前記排気ユニットに対してスライドすることができ、前記突出部は、前記芯管内に延伸し、前記芯管は、前記排気口に対応する通気口を有し、前記間隙調整部材は前記芯管内に移動可能に配置され、ガス流路が前記間隙調整部材に形成されるガス貯蔵ユニット、
前記排気ユニットと前記芯管との間に配置された付勢アセンブリ、
前記突出部の上に配置され、前記芯管に当接する第１のシールリング、および
第２のシールリングであって、前記間隙調整部材の上に配置され、前記芯管に当接し、前記ガス流路の出口は、前記芯管に面し、前記第１のシールリングと前記第２のシールリングとの間に位置する、第２のシールリングを含む加圧ガス注射装置であって、
前記芯管が前記排気ユニットに対して第１の位置に位置するとき、前記第１のシールリングは、前記通気口と前記出口との間に配置され、加圧ガスが前記ガス流路から前記通気口に流入するのを回避し、
弾性力が前記付勢アセンブリによって加えられて、前記芯管を前記排気ユニットに対して前記第１の位置から第２の位置に移動するように駆動したとき、前記通気口は、前記第１のシールリングと前記第２のシールリングとの間に配置され、前記加圧ガスは前記ガス流路の入口から前記間隙調整部材に流入し、前記加圧ガスは、前記通気口および前記排気口を介して前記加圧ガス注射装置から順次に放出され、前記加圧ガスの圧力は、５ＭＰａ以上である加圧ガス注射装置。
【請求項１７】
２つの第３のシールリングは、前記芯管の上に配置され、前記排気ユニットに当接し、前記付勢アセンブリと前記通気口との間に位置する２つの第３のシールリング、および
前記排気ユニットの上に配置され、前記芯管に当接する２つの第４のシールリングであって、前記排気口は、前記第４のシールリング側の前記第３のシールリングと前記第３のシールリング側の前記第４のシールリングとの間に位置する、２つの第４のシールリングを更に含み、
前記芯管が前記排気ユニットに対して前記第１の位置に位置するとき、前記通気口は、前記第１のシールリングと前記第１のシールリング側の前記第３のシールリングとの間に配置され、
前記芯管が前記排気ユニットに対して前記第２の位置に位置するとき、前記通気口は、前記第４のシールリング側の前記第３のシールリングと前記第３のシールリング側の前記第４のシールリングとの間に配置される請求項１６に記載の加圧ガス注射装置。
【請求項１８】
前記付勢アセンブリが前記芯管を、前記排気ユニットに対して前記第２の位置から第３の位置にスライドするように更に駆動したとき、前記排気口側の前記第４のシールリングは、前記通気口と前記排気口との間に位置して、通気口内の前記加圧ガスが前記排気口に向かって流れるのを防止し、前記第２の位置は前記第１の位置と前記第３の位置の間に位置する請求項１７に記載の加圧ガス注射装置。
【発明の詳細な説明】
【技術分野】
【０００１】
本発明は、加圧ガス注射装置に関するものであり、特に、注射針を介することなく加圧ガスを皮膚に注射する加圧ガス注射装置に関するものである。
【背景技術】
【０００２】
針を用いて薬剤を注射することは通常、患者に不快感または痛みを経験させるため、「無針注射」技術が開発されてきた。いわゆる「無針注射」とは、薬剤を注射するときに針が使用されず、代わりに、薬液を極細の直径で高速で射出し、薬剤が生物（人間や動物など）の皮膚を貫通して体内に入ることを意味している。液体の特性により、薬液が生物の内部組織に入った後、組織繊維の間隙に沿って分布することができるため、進入過程での組織に与えるダメージは非常に小さい。同時に、薬剤は効果的に分布され、吸収が促進される。
【０００３】
しかしながら、現在注射されている薬のほとんどは液体である。ガスが注射薬として用いられる場合、分子が皮膚を効率的に貫通しないという問題が往々にしてある。従って、薬剤がターゲット内に注入される深さと効果に影響を及ぼす。即ち、従来の液体の無針注射技術では、真皮、皮下組織、筋膜、筋筋膜、筋肉、または神経組織などの深部軟部組織に入る気体分子の量は、治療目的には不十分であり、人体への薬剤の吸収を高めることを難しくする。また、ガスを注射薬として用いる場合は、無針注射装置は、高効率および安全性の要求を満たすように、注射されるガスの量と注射時間を適切に制御するように行う必要がある。
【発明の概要】
【発明が解決しようとする課題】
【０００４】
本開示の目的は、高効率および安全性の要求を満たすことができる加圧ガス注射装置および方法を提供することである。
【課題を解決するための手段】
【０００５】
従来技術の上述の問題を解決するために、本開示の実施形態では加圧ガス注射装置が提供される。加圧ガス注射装置は、排気ユニット、ガス貯蔵ユニット、および２つのシールリングを含む。排気ユニットは、排気口および通気口を含む。ガス貯蔵ユニットは、排気ユニット内に移動可能に配置され、ガス流路がその中に形成される。２つのシールリングは、排気ユニットの内壁に配置され、シールリングは、ガス貯蔵ユニットに当接する。ガス貯蔵ユニットが排気ユニットに対して第１の位置に位置したとき、加圧ガスは、通気口およびガス流路を介してガス貯蔵ユニットに順次に流入し、ガス流路はシールリングの間に配置される。また、ガス貯蔵ユニットが排気ユニットに対して第１の位置から第２の位置に移動したとき、ガス流路はシールリングと排気口との間に位置するように移動し、且つガス貯蔵ユニット内の加圧ガスは、ガス流路および排気口を介して加圧ガス注射装置から順次に放出され、加圧ガスの圧力は、５ＭＰａ以上である。
【０００６】
本開示の実施形態ではもう一つの加圧ガス注射装置が提供される。加圧ガス注射装置は、排気ユニット、第１のガス貯蔵ユニット、第２のガス貯蔵ユニット、および２つのシールリングを含む。排気ユニットは、排気口を有する。第１のガス貯蔵ユニットは、排気ユニットに移動可能に連結され、第１のガス注入路および第１のガス排出路がその中に形成される。第２のガス貯蔵ユニットは、排気ユニットに移動可能に連結され、第２のガス注入路および第２のガス排出路がその中に形成される。２つのシールリングは、排気ユニットの外面に配置され、第１のガス貯蔵ユニットおよび第２のガス貯蔵ユニットに当接する。第１および第２のガス貯蔵ユニットが排気ユニットに対して第１の位置に位置したとき、
第１の加圧ガスは、第１のガス注入路を介して第１のガス貯蔵ユニットに流入し、第２の加圧ガスは、第２のガス注入路を介して第２のガス貯蔵ユニットに流入し、第１および第２のガス排出路はシールリングの間に配置される。また、第１および第２のガス貯蔵ユニットが排気ユニットに対して第１の位置から第２の位置に移動したとき、第１および第２のガス排出路は、シールリングと排気口との間に配置される。第１のガス貯蔵ユニット内の第１の加圧ガスは、第１のガス排出路および排気口を介して加圧ガス注射装置から順次に放出され、第２のガス貯蔵ユニット内の第２の加圧ガスは、第２のガス排出路および排気口を介して加圧ガス注射装置から順次に放出され、第１の加圧ガスおよび第２の加圧ガスの圧力は、それぞれ５ＭＰａ以上である。
【０００７】
本開示の実施形態ではもう一つの加圧ガス注射装置が提供される。加圧ガス注射装置は、排気ユニット、ガス貯蔵ユニット、および２つのシールリングを含む。排気ユニットは、排気口および一時貯蔵ガスタンクを有する。ガス貯蔵ユニットは、排気ユニットに移動可能に連結され、スライド部材および加圧ガスタンクを含み、ガス流路はスライド部材内に形成され、加圧ガスタンクは、スライド部材に着脱可能に連結される。２つのシールリングは、排気ユニットの内面に配置され、ガス貯蔵ユニットに当接する。ガス貯蔵ユニットが排気ユニットに対して第１の位置に位置したとき、ガス流路はシールリングの間に配置され、且つ加圧ガスタンク内の加圧ガスは、ガス流路を介して一時貯蔵ガスタンクに流入する。また、ガス貯蔵ユニットが排気ユニットに対して第１の位置から第２の位置に移動したとき、ガス流路の一部は、シールリングと一時貯蔵ガスタンクの間に配置され、且つ一時貯蔵ガスタンクの加圧ガスは、排気口を介して加圧ガス注射装置から放出され、加圧ガスの圧力は、５ＭＰａ以上である。
【０００８】
本開示の実施形態ではもう一つの加圧ガス注射装置が提供される。加圧ガス注射装置は、排気ユニットおよび主要ガス貯蔵ユニットを含む。
排気ユニットは、排気口を有し、主要ガス貯蔵ユニットは排気ユニットと連通する。主要ガス貯蔵ユニットは、第１のガス貯蔵アセンブリ、第１のスライドアセンブリ、および２つの第１のシールリンを含む。第１のガス貯蔵アセンブリは、互いに連結した第１のガス流路および第１のチャンバを含む。第１のガス貯蔵アセンブリは、加圧ガスを収容するように構成される。第１のスライドアセンブリは、第１のガス貯蔵アセンブリの外側の周りに移動可能に配置される。２つの第１のシールリングは、第１のスライドアセンブリの内壁に配置され、第１のスライドアセンブリと第１のガス貯蔵アセンブリとの間に配置される。第１のスライドアセンブリが第１のガス貯蔵アセンブリに対して第１の閉鎖位置に配置されるとき、第１のガス流路の一部は、第１のシールリングと排気ユニットとの間に位置し、第１のチャンバ内の加圧ガスが第１のガス流路を介して排気ユニットに流入するのを防止する。また、第１のスライドアセンブリが第１のガス貯蔵アセンブリに対して第１の閉鎖位置から第１の開放位置に移動するとき、第１のガス流路は、第１のシールリングの間に位置する。第１のチャンバ内の加圧ガスは、第１のガス流路を介して排気ユニットに流入し、排気口を介して加圧ガス注射装置から放出され、加圧ガスの圧力は、５ＭＰａ以上である。
【０００９】
本開示の実施形態ではもう一つの加圧ガス注射装置が提供される。加圧ガス注射装置は、排気ユニット、ガス貯蔵ユニット、付勢アセンブリ、第１のシールリング、および第２のシールリングを含む。排気ユニットは、排気口と突出部を有する。ガス貯蔵ユニットは、中空芯管および間隙調整部材を含む。芯管は、排気ユニット内に配置され、排気ユニットに対してスライドすることができ、突出部は、芯管内に延伸し、芯管は、排気口に対応する通気口を有する。間隙調整部材は芯管内に移動可能に配置され、間隙調整部材はガス流路を有する。付勢アセンブリは、排気ユニットと芯管との間に配置される。第１のシールリングは、突出部の上に配置され、芯管に当接する。第２のシールリングは、隙間調整部材の上に配置され、芯管に当接する。また、ガス流路の出口は、芯管に面し、第１のシールリングと第２のシールリングとの間に位置する。芯管が排気ユニットに対して第１の位置に位置するとき、第１のシールリングは、通気口と出口との間に配置され、加圧ガスがガス流路から通気口に流入するのを回避する。弾性力が付勢アセンブリによって加えられて、芯管を排出ユニットに対して第１の位置から第２の位置に移動するように駆動したとき、通気孔は、第１のシールリングと第２のシールリングとの間に配置される。また、加圧ガスはガス流路の入口から間隙調整部材に流入し、加圧ガスは、通気口および排気口を介して加圧ガス注射装置から順次に放出され、加圧ガスの圧力は、５ＭＰａ以上である。
【００１０】
本開示の実施形態では、加圧ガスを注射する方法が提供される。前記方法は、排気ユニットを提供するステップ、排気ユニットと連通し、加圧ガスを貯蔵するように構成されたガス貯蔵ユニットを提供するステップ、通気孔を有し、排気ユニットおよびガス貯蔵ユニットに移動可能に連結された芯管を提供するステップ、および付勢アセンブリを提供するステップを含み、付勢アセンブリは、芯管を押し出して排気ユニットおよびガス貯蔵ユニットに対して移動させ、通気口は、特定期間において、ガス貯蔵ユニットおよび排気ユニットと連通され、ガス貯蔵ユニット内の加圧ガスを排気口および排気ユニットを介して順次に放出し、加圧ガスを人体に注射する。
【００１１】
本開示の利点は、ガス貯蔵ユニットが放出ユニットに対して移動可能であり、加圧ガスを皮膚に貫通させて皮下組織に到達させ、良好な治療結果が得られるようにできることである。他方、補助ガス貯蔵ユニットの数を適切に増減し、それらを閉位置または開位置に制御することも可能であるため、異なる体積の加圧ガスを選択的に提供し、注射ガスの定量的容積の制御を可能にする。
【図面の簡単な説明】
【００１２】
【図１Ａ】図１Ａは、本開示の一実施形態による、ガス貯蔵ユニットが排気ユニットに対して第１の位置に配置されている加圧ガス注射装置を示す断面図である。
【図１Ｂ】図１Ｂは、ガス貯蔵ユニットが排気ユニットに対して第２の位置に移動することを示す断面図である。
【図１Ｃ】図１Ｃは、ガス貯蔵ユニットが排気ユニットに対して第２の位置に移動したときの加圧ガス注射装置を示す斜視図である。
【図２Ａ】図２Ａは、本開示のもう一つの実施形態による、第１のガス貯蔵ユニットおよび第２のガス貯蔵ユニットが排気ユニットに対して第１の位置に配置されている加圧ガス注射装置を示す断面図である。
【図２Ｂ】図２Ｂは、第１のガス貯蔵ユニットおよび第２のガス貯蔵ユニットが排気ユニットに対して第２の位置に移動することを示す断面図である。
【図３Ａ】図３Ａは、本開示のもう一つの実施形態による、ガス貯蔵ユニットが排気ユニットに対して第１の位置に配置されている加圧ガス注射装置を示す断面図である。
【図３Ｂ】図３Ｂは、ガス貯蔵ユニットが排気ユニットに対して第２の位置に移動することを示す断面図である。
【図３Ｃ】図３Ｃは、加圧ガス注射装置が外部ガス源と連通していることを示す断面図である。
【図４Ａ】図４Ａは、本開示のもう一つの実施形態による、第１のスライドアセンブリが第１のガス貯蔵アセンブリに対して第１の閉鎖位置に配置されている加圧ガス注射装置を示す断面図である。
【図４Ｂ】図４Ｂは、第１のスライドアセンブリが第１のガス貯蔵アセンブリに対して第１の開放位置に配置されていることを示す断面図である。
【図４Ｃ】図４Ｃは、本開示のもう一つの実施形態による、第２のスライドアセンブリが第２のガス貯蔵アセンブリに対して第２の閉鎖位置に配置されている加圧ガス注射装置を示す断面図である。
【図４Ｄ】図４Ｄは、第２のスライドアセンブリが第２のガス貯蔵アセンブリに対して第２の開放位置に移動することを示す断面図である。
【図４Ｅ】図４Ｅは、本開示のもう一つの実施形態による、加圧ガス注射装置が２つの補助ガス貯蔵ユニットを含む加圧ガス注射装置を示す断面図である。
【図５Ａ】図５Ａは、本開示のもう一つの実施形態による、ガス貯蔵ユニットの芯管（ｃｏｒｅ  ｔｕｂｅ）が排気ユニットに対して第１の位置に配置されている加圧ガス注射装置を示す断面図である。
【図５Ｂ】図５Ｂは、ガス貯蔵ユニットの芯管が排気ユニットに対して第２の位置に移動することを示す断面図である。
【図５Ｃ】図５Ｃは、ガス貯蔵ユニットの芯管が排気ユニットに対して第３の位置に移動することを示す断面図である。
【図６Ａ】図６Ａは、最小の間隙が間隙調整部材と突起部との間で調整され、ガス貯蔵ユニットの芯管が排気ユニットに対して第１の位置に配置されていることを示す断面図である。
【図６Ｂ】図６Ｂは、ガス貯蔵ユニットの芯管が排気ユニットに対して第２の位置に移動することを示す断面図である。
【図６Ｃ】図６Ｃは、ガス貯蔵ユニットの芯管が排気ユニットに対して第４の位置に移動することを示す断面図である。
【図６Ｄ】図６Ｄは、ガス貯蔵ユニットの芯管が排気ユニットに対して第３の位置に移動することを示す断面図である。
【図７】図７は、本開示のもう一つの実施形態による、加圧ガス注射装置を示す斜視図である。
【図８Ａ】図８Ａは、本開示の異なる実施形態による、加圧ガス注射装置のノズルを示す斜視図である。
【図８Ｂ】図８Ｂは、本開示の異なる実施形態による、加圧ガス注射装置のノズルを示す斜視図である。
【図８Ｃ】図８Ｃは、本開示の異なる実施形態による、加圧ガス注射装置のノズルを示す斜視図である。
【図８Ｄ】図８Ｄは、本開示の異なる実施形態による、加圧ガス注射装置のノズルを示す斜視図である。
【図８Ｅ】図８Ｅは、本開示の異なる実施形態による、加圧ガス注射装置のノズルを示す斜視図である。
【図８Ｆ】図８Ｆは、本開示の異なる実施形態による、加圧ガス注射装置のノズルを示す斜視図である。
【発明を実施するための形態】
【００１３】
本開示の実施形態は、添付の図面と共に本明細書に記載される。
【００１４】
まず、図１Ａに示すように、本開示の一実施形態では、加圧ガス注射装置１は、筐体Ｓおよび駆動機構Ｔ（例えば可動トリガ）を含む。排気ユニット１０、ガス貯蔵ユニット２０、および少なくとも２つのシールリングＯ１とＯ２が筐体Ｓ内に配置される。排気ユニット１０は、排気口１１および通気口Ｖを有し、排気口１１は、加圧ガス注射装置１から加圧ガスを放出するように構成される。ガス貯蔵ユニット２０は、排気ユニット１０内に移動可能に配置され、ガス貯蔵ユニット２０は、中空体２２およびロッド２３を含む。ロッド２３は調整可能な位置で中空体２２に差し込まれており、チャンバＣが中空体２２とロッド２３との間に形成される。チャンバＣは、加圧ガスを貯蔵するように構成される。また、中空体２２にはガス流路２１が形成されており、このガス流路２１はチャンバＣと連通している。２つのシールリングＯ１とＯ２は、排気ユニット１０の内壁に配置され、中空体２２に当接する。シールリングＯ１とＯ２は、ガス漏れを防ぐように構成される。
【００１５】
この実施形態では、チャンバＣ内に注入される加圧ガスの圧力は、５ＭＰａ以上であることができる。この実施形態では、ロッド２３および中空体２２の上に配置された対応するねじ構造（図示せず）を介して回転することによって、ロッド２３は中空体２２内で前進または後退することができることに留意されたい。これにより、チャンバＣの容積が変えられ、ガス注射の異なる定量的（ｑｕａｎｔｉｔａｔｉｖｅ）容積を提供して調整する目的を達成することができる。ロッド２３と中空体２２の内壁との間には、シールリングＯ２３が配置される。
【００１６】
図１Ａに更に示すように、駆動機構Ｔは、筐体Ｓとガス貯蔵ユニット２０とに回動可能に連結されている。駆動機構Ｔは、外力によって筐体Ｓに対して回転するように推進されることができるため、ガス貯蔵ユニット２０は、排気ユニット１０内を移動するように駆動される。駆動機構Ｔが推進される前に、ガス貯蔵ユニット２０は、排気ユニット１０に対して第１の位置（図１Ａ）に配置される。このとき、ガス流路２１の開口は、２つのシールリングＯ１とＯ２との間に位置し、通気口Ｖと直接連通される。これにより、加圧ガスは、ガス注入口Ｇ、通気口Ｖ、およびガス流路２１を介して順次にガス貯蔵ユニット２０のチャンバＣ（図１Ａの矢印方向に示されるように）に流入することができる。ガス注入口Ｇは筐体Ｓに設けられており、通気口Ｖはガス注入口Ｇと連通される。これにより、加圧ガス注射装置１は充填された状態にある。
【００１７】
次いで、図１Ｂおよび図１Ｃに示すように、図１Ｂは、ガス貯蔵ユニット２０が排気ユニット１０に対して第一の位置から第２の位置に移動することを示す断面図を示している。ユーザが駆動機構Ｔを押すと、ガス貯蔵ユニット２０は、排気ユニット１０に対して第１の位置から第２の位置に移動することができる。このとき、ガス流路２１の開口２１１が排気口１１と２つのシールリングＯ１およびＯ２との間に位置するように移動するため、チャンバＣ内の加圧ガスは、ガス流路２１および排気口１１を介して加圧ガス注射装置１（図１Ｂの矢印方向に示されるように）から順次に放出されることができる。
【００１８】
次に、ユーザが駆動機構Ｔを解放すると、ガス貯蔵ユニット２０と排気ユニット１０との間に配置された付勢アセンブリ３０（例えば圧縮バネ）は、弾性力を提供することができ、ガス貯蔵ユニット２０が排気ユニット１０に対して第２の位置（図１Ｂ）から図１Ａに示された第１の位置に戻るように駆動される。５ＭＰａ以上の圧力を有する加圧ガスは、上述の機構設計によって皮膚を直接通過して、真皮または皮下のより深い所に到達させることができる。これにより、良好な治療効果が得られる。
【００１９】
次に、図２Ａに示すように、本開示のもう一つの実施形態における加圧ガス注射装置１と、図１Ａおよび図１Ｂに示される加圧ガス注射装置１との間の主な違いは、この実施形態においては、加圧ガス注射装置１は、並列して配置され、互いに固定された、一組のガス貯蔵ユニット（第１のガス貯蔵ユニット２０Ａおよび第２のガス貯蔵ユニット２０Ｂを含む）を更に含む。また、ハウジングＨが排気ユニット１０、第１のガス貯蔵ユニット２０Ａ、および第２のガス貯蔵ユニット２０Ｂの外側に更に配置される。図２Ａに示されるように、排気ユニット１０は排気口１１を有し、第１のガス注入路２１Ｉと第１のガス排気路２１Ｏが上部第１のガス貯蔵ユニット２０Ａに形成され、第２のガス注入路２１Ｉ’と第２のガス排気路２１Ｏ’が下部第２のガス貯蔵ユニット２０Ｂに形成される。２つのシールリングＯ１およびＯ２は、排気ユニット１０の外面に配置され、シールリングＯ１およびＯ２は、第１のガス貯蔵ユニット２０Ａおよび第２のガス貯蔵ユニット２０Ｂの内側壁に当接する。このため、ガスが排気ユニット１０とガス貯蔵ユニット２０Ａおよび２０Ｂとの間の隙間から漏れるのが防止される。
【００２０】
更に図２Ａに示すように、加圧ガス注射装置１は、２つの第１の注入シールリングＯ３とＯ４、２つの第２の注入シールリングＯ５とＯ６、および付勢アセンブリ３０を更に含む。ハウジングＨは、第１のガス注入口Ｈ１および第２のガス注入口Ｈ２を有し、第１のガス貯蔵ユニット２０ＡのチャンバＣ１と第２のガス貯蔵ユニット２０ＢのチャンバＣ２内にガスをそれぞれ注入するように提供される（図２Ａの矢印方向Ｍに示されるように）。２つの第１の注入シールリングＯ３およびＯ４は、ハウジングＨの内壁に配置され、第１のガス注入口Ｈ１に対応してガス漏れを防止することを理解されたい。また、付勢アセンブリ３０（例えば圧縮バネ）は、排気ユニット１０と２つのガス貯蔵ユニット２０Ａおよび２０Ｂとの間に配置される。
【００２１】
付勢アセンブリ３０が初期状態にあるとき（図２Ａに示されるように）、第１のガス貯蔵ユニット２０Ａおよび第２のガス貯蔵ユニット２０Ｂは、排気ユニット１０に対して第１の位置に配置されることに留意されたい。また、第１のガス注入路２１Ｉは、２つの第１のガス注入シールリングＯ３とＯ４との間に位置し、第２のガス注入路２１Ｉ’は、２つの第２のガス注入シールリングＯ５とＯ６との間に位置する。これにより、図２Ａの矢印方向Ｍで示されるように、第１の加圧ガスは、第１のガス注入口Ｈ１および第１のガス注入路２１Ｉを介して第１のガス貯蔵ユニット２０ＡのチャンバＣ１に順次に流入することができる。第２の加圧ガスは、第２のガス注入口Ｈ２および第２のガス注入路２１Ｉ’を介して第２のガス貯蔵ユニット２０ＢのチャンバＣ２に順次に流入することができる。
【００２２】
第１のガス排出路２１Ｏと第２のガス排出路２１Ｏ’は、２つのシールリングＯ１とＯ２の間にそれぞれ位置するため、このとき、ガスは遮断され、排気口１１を介して加圧ガス注射装置１から放出されることができない。従って、加圧ガス注入装置１は充填された状態にあり、第１のガス注入口Ｈ１を介してチャンバＣ１に流入する第１の加圧ガスは、第２のガス注入口Ｈ２を介してチャンバＣ２に流入する第２の加圧ガスと混合されない。この実施形態では、第１の加圧ガスおよび第２の加圧ガスの圧力はそれぞれ５ＭＰａ以上であることができ、且つ第１の加圧ガスと第２の加圧ガスの圧力値は異なることができる。
【００２３】
次いで、図２Ｂに示すように、図２Ｂは、第１のガス貯蔵ユニット２０Ａおよび第２のガス貯蔵ユニット２０Ｂが排気ユニット１０に対して第１の位置から第２の位置に移動することを示す断面図である。図２Ｂに示されるように、注射を行うために加圧ガスを放出する必要があるとき、外力がトリガーまたは他の駆動機構を介して加えられることができる。これにより、第１のガス貯蔵ユニット２０Ａおよび第２のガス貯蔵ユニット２０Ｂは、排気ユニット１０に対して第１の位置から排気口１１に向かって第２の位置に移動するように駆動される。これにより、付勢アセンブリ３０は更に圧縮される。この状態では、第１のガス排出路２１Ｏと第２のガス排出路２１Ｏ’は、２つのシールリングＯ１およびＯ２と排気口１１との間に位置するように移動する。従って、第１のガス貯蔵ユニット２０Ａ内の第１の加圧ガスは、第１のガス排出路２１Ｏおよび排気口１１を介して加圧ガス注射装置１から順次に放出されることができる。同様に、第２のガス貯蔵ユニット２０Ｂ内の第２の加圧ガスは、第２のガス排出路２１Ｏ’および排気口１１を介して加圧ガス注射装置１から順次に放出されることができる。よって、加圧ガス注射装置１は排気された状態にある。
【００２４】
５ＭＰａ以上の圧力を有する加圧ガスは、上述の機構設計によって皮膚を直接通過して、真皮または皮下のより深い所に到達させることができる。これにより、良好な治療効果が得られる。一方、異なるチャンバＣ１およびＣ２が第１のガス貯蔵ユニット２０Ａと第２のガス貯蔵ユニット２０Ｂによって用いられ、第１の加圧ガスおよび第２の加圧ガスをそれぞれ貯蔵することができる。従って、異なるガスが混合されて注射薬となることができる。
【００２５】
図３Ａに示すように、本開示のもう一つの実施形態の加圧ガス注射装置１は、排気ユニット１０、ガス貯蔵ユニット２０、２つのシールリングＯ１とＯ２、付勢アセンブリ３０、およびピンＮを主に含む。図３Ａに示されるように、排気ユニット１０は、排気口１１および一時貯蔵ガスタンク１２を有する。一時貯蔵ガスタンク１２は、その内部容積の大きさを変えて、異なる定量的容積の注入ガスを調整して提供する目的を達成するように取り外し可能、且つ交換可能である。ガス貯蔵ユニット２０は排気ユニット１０に移動可能に連結され、ガス貯蔵ユニット２０は、スライド部材２４および加圧ガスタンク２５を含む。加圧ガスタンク２５は、スライド部材２４に着脱可能に連結され、ガス流路２１がスライド部材２４内に形成されていることに留意されたい。２つのシールリングＯ１およびＯ２は、排気ユニット１０の内壁に配置され、ガス貯蔵ユニット２０の外面に当接してガス漏れを防止している。針Ｎは、スライド部材２４の一つ側に配置され、加圧ガスタンク２５の上の金属またはプラスチック材料で作られたシール部材（図示せず）を貫通するように構成される。したがって、加圧ガスが加圧ガスタンク２５からガス流路２１に流入することができる。
【００２６】
更に図３Ａに示すように、ガス貯蔵ユニット２０が排気ユニット１０に対して第１の位置にあるとき、ガスチャネル２１の開口２１１は、２つのシールリングＯ１とＯ２との間に位置する。これにより、加圧ガスタンク２５内の加圧ガスは、ガス流路２１を通過して一時貯蔵ガスタンク１２に流入し、加圧ガス注射装置１は充填された状態にある。この実施形態では、加圧ガスの圧力は、５ＭＰａ以上であることができる。
【００２７】
次に、図３Ｂに示すように、図３Ｂは、図３Ａのガス貯蔵ユニット２０が排気ユニット１０に対して第１の位置から第２の位置に移動することを示す断面図である。図３Ｂに示されるように、加圧ガスを放出して注射を行う必要があるとき、外力を加圧ガスタンク２５に加えて、ガス貯蔵ユニット２０を押し出して排出ユニット１０に対して第１の位置から第２の位置に移動させることができる。このとき、ガス流路２１の一時貯蔵ガスタンク１２側の開口２１１は、２つのシールリングＯ１とＯ２との間に位置するのではなく、２つのシールリングＯ１およびＯ２と一時貯蔵ガスタンク１２との間に位置する。従って、一時貯蔵ガスタンク１２内の加圧ガスは、排気口１１を介して加圧ガス注射装置１（図３Ｂの矢印Ｒ方向に示されるように）から放出されることができる。よって、加圧ガス注射装置１は排気された状態にある。
【００２８】
５ＭＰａ以上の圧力を有する加圧ガスは、上述の機構設計によって皮膚を直接通過して、真皮または皮下のより深い所に到達させることができる。これにより、良好な治療効果が得られる。一方、着脱可能な加圧ガスタンク２５を設けることにより、加圧ガス注射装置１は、持ち運びが便利なだけでなく、患者は、加圧ガス自体を交換して注入することもできる。上記の着脱式加圧ガスボンベ２５を設けることにより、持ち運びが容易になるだけでなく、患者は自ら加圧ガスを交換して注射することもできる。従って、治療の利便性を向上させることができる。
【００２９】
また、図３Ｃに示されるように、もう一つの実施形態では、着脱可能な加圧ガスタンク２５を使用しないことも可能である。代わりに、スライド部材２４内のガス流路２１は、管路Ｕ１およびＵ２を介して外部の大きなガス源Ｕと連通している。これにより、加圧ガスは、加圧ガス注射装置１内に連続的に供給され、スライド部材２４と管路Ｕ１は、ガス貯蔵ユニット２０を構成することができる。
【００３０】
図４Ａに示すように、本開示のもう一つの実施形態では、加圧ガス注射装置１は、排気ユニット１０、主要ガス貯蔵ユニット２０、および一方向弁４０を含む。排気ユニット１０は排気口１１を有し、主要ガス貯蔵ユニット２０は一方向弁４０を介して排気ユニット１０と連通しており、主要ガス貯蔵ユニット２０は、第１のガス貯蔵アセンブリ２６、第１のスライドアセンブリ２７、および２つの第１のシールリングＯ１とＯ２を含む。第１のガス流路２１および第１のチャンバＣが第１のガス貯蔵アセンブリ２６に形成され、第１のチャンバＣは、加圧ガスを収容するように構成されることができ、第１のスライドアセンブリ２７は、第１のガス貯蔵アセンブリ２６の外側の周りに移動可能に配置される。また、２つの第１のシールリングＯ１およびＯ２は、第１のスライドアセンブリ２７の内壁に配置され、第１のガス貯蔵アセンブリ２６の外面に当接して、ガス漏れを防止する。
【００３１】
更に、図４Ａに示すように、第１のスライドアセンブリ２７が第１のガス貯蔵アセンブリ２６に対して第１の閉鎖位置に配置されるとき、排気ユニット１０側の第１のガス流路２１の一部が、２つの第１のシールリングＯ１およびＯ２と排気ユニット１０との間に位置するため、第１のガス流路２１は閉鎖される。これにより、第１のチャンバＣ内の加圧ガスが第１の流路２１および一方向弁４０を介して排気ユニット１０に流入するのが防止されることができ、加圧ガス注射装置１は充填された状態にあることができる。この実施形態では、加圧ガスの圧力は、５ＭＰａ以上であることができる。排気ユニット１０は、複数のガス貯蔵ユニットと直列に連通され、異なる定量的容積の注入ガスを調整して提供する目的を達成することもできることに留意されたい。詳細な構造は、以下の実施形態の説明を参照することができる。
【００３２】
次に、図４Ｂに示すように、図４Ｂは、第１のスライドアセンブリ２７が第１のガス貯蔵アセンブリ２６に対して第１の閉鎖位置から第１の開放位置に移動することを示す断面図である。図４Ｂに示されるように、加圧ガスを放出して注射を行う必要があるとき、第１のスライドアセンブリ２７は、第１のガス貯蔵アセンブリ２６に対して第１の開放位置に移動することができる。また、第１のガス流路２１は、２つの第１のシールリングＯ１とＯ２との間に位置する。このとき、第１のチャンバＣ内の加圧ガスは、第１のガス流路２１および一方向弁４０を介して排気ユニット１０に流入することができ、加圧ガスは、排気口１１を介して加圧ガス注射装置１から放出される。一方、加圧ガス注射装置１は排気された状態にあることができる。５ＭＰａ以上の圧力を有する加圧ガスは、上述の機構設計によって皮膚を直接通過して、真皮または皮下のより深い所に到達させることができる。これにより、良好な治療効果が得られる。
【００３３】
次いで、図４Ｃに示すように、本開示のもう一つの実施形態では、加圧ガス注射装置１は、排気ユニット１０、主要ガス貯蔵ユニット２０、および一方向弁４０を含み、補助ガス貯蔵ユニット２０’およびもう一つの一方向弁４０を更に含む。補助ガス貯蔵ユニット２０’は、一方向弁４０を介して主要ガス貯蔵ユニット２０と連通されることができる。図４Ｃに示すように、補助ガス貯蔵ユニット２０’は、第２のガス貯蔵アセンブリ２６’、第２のスライドアセンブリ２７’、および２つの第２のシールリングＯ１’およびＯ２’を含み、第２のガスチャネル２１’および第２のチャンバＣ’が第２のガス貯蔵アセンブリ２６’に形成される。第２のチャンバＣ’は、加圧ガスを収容するように構成されることができる。この実施形態では、第２のスライドアセンブリ２７’は、第２のガス貯蔵アセンブリ２６’の外側の周りに移動可能に配置される。２つの第２のシールリングＯ１’およびＯ２’は、第２のスライドアセンブリ２７’の内壁に配置され、第２のガス貯蔵アセンブリ２６’の外面に当接して、ガス漏れを防止する。
【００３４】
更に、図４Ｃに示すように、第２のスライドアセンブリ２７’が第２のガス貯蔵アセンブリ２６’に対して第２の閉鎖位置に配置されるとき、主要ガス貯蔵ユニット２０側の第２のガス流路２１’の一部が、２つの第２のシールリングＯ１’およびＯ２’と主要ガス貯蔵ユニット２０との間に位置するため、第２のガス流路２１’は閉鎖される。これにより、第２のチャンバＣ’内の加圧ガスが第２のガス流路２１’および一方向弁４０を介して主要ガス貯蔵ユニット２０に流入するのが防止されることができる。
【００３５】
次に、図４Ｄに示すように、図４Ｄは、第１のスライドアセンブリ２７’が第２のガス貯蔵アセンブリ２６’に対して第２の閉鎖位置から第２の開放位置に移動することを示す断面図である。図４Ｄに示されるように、第２のスライドアセンブリ２７’が、第２のガス貯蔵アセンブリ２６’に対して第２の開放位置に移動するとき、第２のガス流路２１’は、２つの第２のシールリングＯ１’とＯ２’との間に位置する。これにより、第１のチャンバＣ’内の加圧ガスは、第２の流路２１’および一方向弁４０を介して主要ガス貯蔵ユニット２０に流入することができる。従って、加圧ガス注射装置１は充填された状態にあることができる。同様に、加圧ガスを放出して注射を行う必要があるとき、第１のスライドアセンブリ２７は、第１のガス貯蔵アセンブリ２６に対して第１の開放位置（図４Ｂに示されるように）に移動することができ、第１のチャンバＣ内の加圧ガスが、第１のガス流路２１および一方向弁４０を介して排気ユニット１０に流入することができるようになる。これにより、加圧ガスは、排気口１１を介して加圧ガス注射装置１から放出される。この実施形態では、加圧ガスの圧力は、５ＭＰａ以上である。
【００３６】
図４Ｅに示すように、この実施形態と図４Ｄに示される実施形態との主な違いは、加圧ガス注射装置１が、一方向弁４０を介して互いに連通する２つの補助ガス貯蔵ユニット２０’を更に含むことである。図４Ｅに示されるように、２つの補助ガス貯蔵ユニット２０’の両方の第２のスライドアセンブリ２７’が第２のガス貯蔵アセンブリ２６’に対して第２の開放位置にあるとき、加圧ガス注射装置１は充填された状態にある。また、図４Ｅの加圧ガス注射装置１に含まれる加圧ガスの総体積は、図４Ｄの加圧ガス注射装置１に含まれる加圧ガスより大きいことができる。言い換えれば、この実施形態では、補助ガス貯蔵ユニット２０’の量を増減することによって、異なる体積の加圧ガスを注射用に選択的に提供され、第２のスライドアセンブリ２７’を閉鎖位置と開放位置の間で切り換えることができる。
【００３７】
次いで、図５Ａに示すように、本開示のもう一つの実施形態では、加圧ガス注射装置１は、排気ユニット１０、ガス貯蔵ユニット２０、付勢アセンブリ３０、第１のシールリングＯ１、第２のシールリングＯ２、２つの第３のシールリングＯ３、および２つの第４のシールリングＯ４を含む。排気ユニット１０は、排気口１１と突出部１３を有する。ガス貯蔵ユニット２０は、間隙調整部材２８および中空芯管２９を含む。図５Ａに示されるように、芯管２９は、排気ユニット１０内に配置され、排気ユニット１０に対してスライドすることができ、突出部１３は、芯管２９内に延伸し、芯管２９は、排気口１１に対応する通気口Ｖを有する。
【００３８】
間隙調整部材２８は芯管２９内に移動可能に配置され、ガス流路２１が間隙調整部材２８に形成されていることに留意されたい。付勢アセンブリ３０は、排気ユニット１０と芯管２９との間に配置される。第１のシールリングＯ１は、突出部１３の周りに配置され、芯管２９に当接する。第２のシールリングＯ２は、隙間調整部材２８の上に配置され、芯管２９に当接する。また、ガス流路２１の出口Ｅは、芯管２９に面し、第１のシールリングＯ１と第２のシールリングＯ２との間に位置する。２つの第３のシールリングＯ３は、芯管２９の上に配置され、排気ユニット１０に当接し、付勢アセンブリ３０と通気口Ｖとの間に位置する。一方、２つの第４のシールリングＯ４は、排気ユニット１０の上に配置され、芯管２９の外面に当接する。排気口１１は、２つの第３のシールリングＯ３と２つの第の４シールリングＯ４との間に位置する。
【００３９】
更に図５Ａに示すように、付勢アセンブリ３０に外力が加えられ（例えば、芯管２９の底部にあるプッシュロッド２９１を手で圧力を加える）、付勢アセンブリ３０が圧縮された状態にあるとき、芯管２９は、排気ユニット１０に対して第１の位置に配置される。このとき、第１のシールリングＯ１は、通気口Ｖと出口Ｅとの間に位置し、通気口Ｖは第１のシールリングＯ１と２つの第３のシールリングＯ３との間に位置する。これにより、ガス流路２１が通気口Ｖと連通するのを防止して、ガス流路２１内の加圧ガスが通気口Ｖを介して漏れることを回避し、加圧ガス注射装置１が充填された状態にあることができる。この実施形態では、加圧ガスの圧力は、５ＭＰａ以上であることができる。
【００４０】
次いで、図５Ｂに示すように、図５Ｂは、芯管２９が排気ユニット１０に対して第１の位置から第２の位置に移動することを示す断面概略図である。図５Ｂに示されるように、芯管２９の底部にあるプッシュロッド２９１に加えられる外力が解除された後、付勢アセンブリ３０（例えば、圧縮バネ）は、その弾性力によって解除された状態に戻ることができ、弾性力は、芯管２９を排気ユニット１０に対して第１の位置から第２の位置に移動するように駆動することができる。このとき、通気口Ｖの位置は、第１のシールリングＯ１と第２のシールリングＯ２との間にあり、通気口Ｖの位置は、２つの第３のシールリングＯ３と２つの第４のシールリングＯ４との間に同時にあることに留意されたい。従って、入口Ｉからガス流路２１内に注入された加圧ガスは、間隙調整部材２８および出口Ｅを通過して通気口Ｖに到達することができる。次いで、加圧ガスは、更に通気口Ｖおよび排気口１１を順次に介して、加圧ガス注射装置１から放出され、加圧ガスが排気された状態にあることができる。５ＭＰａ以上の圧力を有する加圧ガスは、上述の機構設計によって皮膚を直接通過して、真皮または皮下のより深い所に到達させることができる。これにより、良好な治療効果が得られる。
【００４１】
図５Ｃに示すように、図５Ｃは、芯管２９が排気ユニット１０に対して第３の位置に更に移動することを示す断面概略図である。図５Ｃに示されるように、付勢アセンブリ３０が芯管２９を、弾性力を介して排気ユニット１０に対して第２の位置から第３の位置にスライドするように更に駆動したとき、第３のシールリングＯ３／第４のシールリングＯ４の一方の位置は、通気口Ｖと排気口１１との間にある。従って、通気口Ｖ内の加圧ガスが排気口１１に向かって流れるのを防止することができる。図５Ａ、図５Ｂ、および図５Ｃに示されるように、第２の位置（図５Ｂ）は第１の位置（図５Ａ）と第３の位置（図５Ｃ）との間に位置している。芯管２９が第３の位置にスライドしたとき、加圧ガス注射装置１の排気された状態は終了する。プッシュロッド２９１が押し戻されて付勢アセンブリ３０を圧縮するまで、芯管２９は、排気ユニット１０に対して図５Ａに示される状態に戻り、加圧ガス注射装置１を再度充填するのを容易にする。この実施形態では、バイアスアセンブリおよび異なるシールリングを配置することによって多段階の流路の制御を行うことができるため、高圧と定量的注射の効果が得られる。その結果、使用時の柔軟性と利便性を向上させることができる。
【００４２】
次いで、図６Ａに示すように、図６Ａは、ガス貯蔵ユニット２０の芯管２９が排気ユニット１０に対して第１の位置に配置され、間隙調整部材２８がねじ構造（図示せず）によって排気ユニット１０に回転して入り、間隙調整部材２８と突出部１３との間に最小の間隙があることを示す断面図である。図６Ａに示されるように、付勢アセンブリ３０が圧縮された状態にあるとき、コアチューブ２９は、排気ユニット１０に対して第１の位置に配置される。一方、第１のシールリングＯ１は、通気口Ｖとガス流路２１の出口Ｅとの間に位置するため、加圧ガスがガス流路２１から通気口Ｖに流入するのを回避することができる。
【００４３】
図６Ｂに示すように、図６Ｂは、図６Ａの芯管２９が排気ユニット１０に対して第１の位置から第２の位置に移動することを示す断面図である。図６Ｂに示されるように、付勢アセンブリ３０は解除された状態にあり、芯管２９は、弾性力によって排気ユニット１０に対して第２の位置に移動するように駆動される。通気口Ｖが第１のシールリングＯ１と第２シールリングＯ２との間にあり、通気口Ｖの位置も２つの第３のシールリングＯ３と２つの第４のシールリングＯ４との間にあるため、加圧ガスは、ガス流路２１の入口Ｉから間隙調整部材２８に注入することができる。加圧ガスは、通気口Ｖおよび排気口１１を順次に介して、加圧ガス注射装置１から放出される、従って、加圧ガス注射装置１は、排気された状態にある。
【００４４】
次いで、図６Ｃに示されるように、図６Ｃは、図６Ａの芯管２９が付勢アセンブリ３０を解除することによって、排気ユニット１０に対して第４の位置に連続的に移動することを示す断面図である。図６Ｃに示されるように、間隙調整部材２８と突出部１３との間の間隙は最小の間隙に調整されている。そのため、第１のシールリングＯ１と第２のシールリングＯ２との間の距離も短くなる。従って、付勢アセンブリ３０が芯管２９を排気ユニット１０に対して第２の位置から第４の位置にスライドするように更に駆動するプロセスでは、通気口Ｖは、第２のシールリングＯ２と第４のシールリングＯ４との間に一時的にだけ位置することができる。従って、通気口Ｖとガス流路２１を連通させるのに必要な時間が短縮され、ガス流路２１内の加圧ガスが排気口１１から過剰に流出することを回避することができる。即ち、このとき、加圧ガス注射装置１は排気終了した状態にある。上述のように、本実施形態では、間隙調整部材２８と突出部１３との間の間隙を調整することにより、加圧ガスの放出時間を選択的に設定している。これにより、ガスの排出量および注入時間に対する良好な制御を行うことができる。
【００４５】
図６Ｄに示すように、図６Ｄは、図６Ａの芯管２９が排気ユニット１０に対して図５Ｃに示された第３の位置に移動することを示す断面図である。図６Ｄに示されるように、付勢アセンブリ３０が芯管２９を、排気ユニット１０に対して第２の位置から第３の位置にスライドするように更に駆動したとき、第４のシールリングＯ４の一方は、通気口Ｖと排気口１１との間に位置する。従って、通気口Ｖ内の加圧ガスが排気口１１に向かって流れるのを防止することができる。一方、加圧ガス注射装置１は、排気終了した状態のままであり、加圧ガス注射装置１は、付勢アセンブリ３０が再び圧縮され、芯管２９が排気ユニット１０に対して第１の位置に戻るように駆動されるまで、再び充填されることができる。
【００４６】
次いで、図７に示された実施形態に示すように、図１Ｃと図７に示される実施形態の違いは、筐体Ｓにガス注入口Ｇが配置されていないことであり、加圧ガスは、小型のガスタンク（例えば、図７に示される砲弾形状ガスタンク４１）を筐体Ｓ内に取り付けることによって携帯可能に用いられることができる。
【００４７】
図８Ａ〜図８Ｆは、本開示の異なる実施形態によるノズルＰを示す斜視図であり、図８Ｃおよび図８Ｄは断面図である。図８Ａ〜図８Ｆに示される様々なタイプのノズルＰは、上述の任意のタイプの加圧ガス注射装置１に全て適用されることができる。各ノズルＰの一つ側は、一方向弁を介して排気ユニット１０の排気口１１と連通されることができ、もう一つ側は患者の皮膚に接触するように構成される。従って、加圧ガスは、排気口１１から患者の体内に注射されることができる。図８Ａに示されるように、この実施形態では、ノズルＰが患者の皮膚の表面に完全に付着されて、効果的な接触を達成することができるように、ノズルＰは複数の調節可能なガス管を有する。図８Ｂおよび図８Ｃに示されるように、漏斗状の構造がノズルＰの内側に形成されることができ、広い面積で患部に均一に加圧ガスを注射するように構成されている。単一のガス管（図８Ｂ）または複数のガス管（図８Ｃ）を漏斗状構造に形成することができる。また、図８Ｄに示されるように、ノズルＰは、加圧ガスを患部に正確に注射する筒状構造も有することができる。最後に、図８Ｅおよび図８Ｆに示すように、ノズルＰは、患部を覆うように構成されたストリップ状の可撓性フィルムまたは円形パッチを更に含む。これにより、加圧ガスが漏れるのを防ぐことができる。ガスが図８Ａ〜図８Ｆに示されるノズルＰを通過するとき、皮膚に接触する場所に震動が発生することができることを理解されたい。
【００４８】
本開示の上述の様々な実施形態の加圧ガス注射装置１では、ガス貯蔵ユニット２０は排気ユニット１０に対して移動可能であり、加圧ガスは皮膚を貫通して皮下組織に到達するように駆動されることができる。従って、良好な治療効果が得られる。他方、補助ガス貯蔵ユニット２０’の数も適切に調整され、補助ガス貯蔵ユニット２０’が閉鎖位置または開放位置に位置するように制御されることができる。これにより、異なる体積を有する加圧ガスが選択的に供給され、それによって注射されたガスに対する体積制御を行うことができる。また、加圧ガスは、間隙調整部材２８と突出部１３との間の間隙を調整することにより、特定の期間に放出されるように選択的に設定されることができる。これにより、ガスの注入時間および排出量に対する良好な制御を行うことができる。他方、本実施形態では、使い捨ての砲弾形状ガスタンクも、所定の注射の容量として用いることができる。異なる容積の弾丸状のガスタンクを調整して、必要なガスの容積を調整することにより、使用上の弾力性と利便性を大幅に向上させることができる。
【００４９】
上述のように、調節可能な定量的加圧ガス注射装置および方法が本開示において提供される。ガスは１つ以上のガス源からのものであることができ、水素、酸素、窒素、二酸化炭素、オゾン、および亜酸化窒素の中の少なくとも1つを含むことができ、ガス圧は５ＭＰａ以上である。ガスは、機構内のガスタンク、または外部のガス源と直接連通されることができる。ガスは、各ガスに対応する弁を介して所定のまたは容積調整可能なガス貯蔵室に充填されることができる。または、この弁は、開弁時間を調整することができ、ガス貯蔵室を必要としない弁であってもよい。放出された後、ガスは注入深さおよび範囲に基づいて選択されたノズルを通過し、逆流および汚染を回避するためにノズルと機構の中空体との間に逆止弁が配置される。ガスが放出された後、ガスは注射の深さと範囲に基づいて選択されたノズルを通過し、その中のノズルと機構の中空体との間に一方向弁が配置されて逆流と汚染を回避する。操作者は、適切な力を人体部分の患部にかけることができる。ガスが注射された後、機構は、機構内の弾性装置によって、その元の状態に戻り、機構は次の注射に用いられるようになる。
【００５０】
本開示は、上記のようにいくつかの特定の実施形態の形で説明されているが、これらは本開示を限定することを意図するものではない。当業者は、本開示の精神および範囲を逸脱せずに、本開示に種々の変更および改変を行うことができることは理解されるべきである。従って、本開示の範囲は、添付の特許請求の範囲によって規定されるものとして言及されるべきである。
【符号の説明】
【００５１】
１  加圧ガス注射装置１
１０  排気ユニット
１１  排気口
１２  一時貯蔵ガスタンク
１３  突出部
２０  ガス貯蔵ユニット
２０Ａ  第１のガス貯蔵ユニット
２０Ｂ  第２のガス貯蔵ユニット
２０’  補助ガス貯蔵ユニット
２１  ガス流路
２１Ｉ  第１のガス注入路
２１Ｉ’  第２のガス注入路
２１Ｏ  第１のガス排気路
２１Ｏ’  第２のガス排気路
２２  中空体
２３  ロッド
２４  スライド部材
２５  加圧ガスタンク
２６  第１のガス貯蔵アセンブリ
２７  第１のスライドアセンブリ
２６’  第２のガス貯蔵アセンブリ
２７’  第２のスライドアセンブリ
２８  間隙調整部材
２９  中空芯管
３０  付勢アセンブリ
４０  一方向弁
４１  砲弾形状ガスタンク
Ｃ、Ｃ’、Ｃ１、Ｃ２  チャンバ
Ｅ  出口
Ｇ  ガス注入口
Ｈ  ハウジング
Ｈ１  第１のガス注入口
Ｈ２  第２のガス注入口
Ｉ  入口
Ｎ  針
Ｏ１、Ｏ１’、Ｏ２、Ｏ２’、Ｏ３、Ｏ４、Ｏ２３  シールリング
Ｐ  ノズル
Ｓ  筐体
Ｔ  駆動機構
Ｕ  ガス源
Ｕ１、Ｕ２  管路
Ｖ  通気口
【図１Ａ】
0006899923.tif 000002
【図１Ｂ】
0006899923.tif 000003
【図１Ｃ】
0006899923.tif 000004
【図２Ａ】
0006899923.tif 000005
【図２Ｂ】
0006899923.tif 000006
【図３Ａ】
0006899923.tif 000007
【図３Ｂ】
0006899923.tif 000008
【図３Ｃ】
0006899923.tif 000009
【図４Ａ】
0006899923.tif 000010
【図４Ｂ】
0006899923.tif 000011
【図４Ｃ】
0006899923.tif 000012
【図４Ｄ】
0006899923.tif 000013
【図４Ｅ】
0006899923.tif 000014
【図５Ａ】
0006899923.tif 000015
【図５Ｂ】
0006899923.tif 000016
【図５Ｃ】
0006899923.tif 000017
【図６Ａ】
0006899923.tif 000018
【図６Ｂ】
0006899923.tif 000019
【図６Ｃ】
0006899923.tif 000020
【図６Ｄ】
0006899923.tif 000021
【図７】
0006899923.tif 000022
【図８Ａ】
0006899923.tif 000023
【図８Ｂ】
0006899923.tif 000024
【図８Ｃ】
0006899923.tif 000025
【図８Ｄ】
0006899923.tif 000026
【図８Ｅ】
0006899923.tif 000027
【図８Ｆ】
0006899923.tif 000028